(57)【特許請求の範囲】
【請求項１】
検知範囲に使用者の手が位置されたことを検知する焦電型赤外センサーを有し、前記焦電型赤外センサーによる前記手をかざしたことの検知に応じて排紙口から所定長さのペーパータオルを自動的に排紙するロールペーパータオル用ディスペンサーであって、
前記センサーは、前記ディスペンサーの下部排紙口より前面側に、かつ、下方に放射状の検知範囲を有して設けられており、
検知波長光を反射し、かつ、前記センサーに集光される範囲を画定する反射面を有する反射部材が設けられ、
前記反射部材は、前記センサーの真下より排紙口側に縁を有し、この縁からセンサーの下方を覆い、ディスペンサーの下面に渡る背面側に向かって下り傾斜の反射面を有し、前記縁と前記ディスペンサーの下面との間が背面側に開口している、ことを特徴とするペーパータオル用ディスペンサー。
【請求項２】
前記反射部材が着脱自在とされている請求項１記載のペーパータオル用ディスペンサー。
【請求項３】
反射面の形状が異なり前記センサーに集光される範囲が相違する複数の反射部材を有し、それらの反射部材を取り替えることにより、検知範囲が変更される、請求項２記載のペーパータオル用ディスペンサー。
【請求項４】
前記反射部材は、反射面の角度調整が可能とされている請求項１〜３の何れか１項に記載のペーパータオル用ディスペンサー。
【請求項５】
前記反射部材により、ディスペンサー背面側下縁からディスペンサー下方に向けて延在させた面に投影される検知範囲面が、ディスペンサー背面側下縁より２０ｃｍ以内に収められている請求項１〜４の何れか１項に記載のペーパータオル用ディスペンサー。
【発明の詳細な説明】
【技術分野】
【０００１】
本発明は、帯状のペーパータオルをロール状に巻取ったロールペーパータオル用のディスペンサーに関し、特に、所定長さのペーパータオルを自動的に巻き出して排紙するロールペーパータオル用ディスペンサーに関する。
【背景技術】
【０００２】
ロールペーパータオル用ディスペンサーは、筐体内部に回動自在に支持したロールペーパーからペーパータオルを巻き出し、筐体下部に設けた排紙口から適宜必要な長さのペーパータオルを露出させて裁断可能にするものであるが、この種のロールペーパータオル用ディスペンサーには、光学式センサーによって使用者の手等が検知範囲に位置されたことを検知し、筐体内部に回動自在に支持したロールペーパーからペーパータオルを繰り出し、筐体下部に設けられたスリット状の排紙口から自動的に適宜長のペーパータオルを排紙して裁断可能にする自動排紙タイプのものがある。自動排紙タイプのロールペーパータオル用ディスペンサーは、オートディスペンサー、ハンズフリーディスペンサーなどとも称される。
【０００３】
従来、このような自動排紙タイプのディスペンサーには、慣用的に「静電容量式」と呼ばれるセンサーが使用されていた。これはセンサーの端子として金属板を用い、帯電させる。この金属板に電荷を持った物体が近づくと、金属板上の電荷が変化する。この電荷の変化がスイッチとなる仕組みである。
【０００４】
しかし、このセンサーの機構では手をディスペンサー本体に１ｃｍ程度にまで近づけないと感知しないことから、特に公共の場等において子供や大人等の背丈の相違する者が使用する処では、各者に対応可能な設置高さに設置することが難しかった。またセンサーの端子である金属板は腐食を避けるためにディスペンサー本体内に格納されるが、その結果センサーの位置がわかりづらく手をかざす位置がわかりにくく、使用の際にとまどうことがある等の問題があった。
【０００５】
このような問題に鑑みて、ディスペンサーにおいては、近年、センサーの少なくとも一部を外部に露出させるか、或いはセンサー用の穴を設ける必要があるがゆえに、センサー位置が外部から視認しやすい光学センサーが用いられるようになってきている。
【０００６】
この自動排紙タイプのディスペンサーに用いられる光学式センサーは、検知範囲が放射的に円錐状に広がるものが一般的であり、当該ディスペンサーが筐体背面を介して壁に設置する態様を基本とすることから、当該検知範囲がディスペンサーの下方投影範囲となるように検知範囲を設定される。
【０００７】
しかし、この種のペーパータオル用ディスペンサーは、化粧室の洗面台近傍、キッチン等の水回り近傍の壁面などの比較的狭い場所に設置されることが多く、所望の検知範囲となる位置・高さにディスペンサーを設置できない場合があったり、意図しない範囲に検知範囲が設定され誤動作を引き起こすことがあった。また、近年、この種のディスペンサーにおいては、設置場所の自由度を高めるべくコンパクト化が進められているが、上記検知範囲が限定されることに起因してコンパクト化による設置範囲の自由度も制限されてしまっている。
【０００８】
なお、従来、光学式センサーの検知範囲を設定する方法として、図１４（Ａ）、（Ｂ）に示すとおり、センサー１５０の一部を、遮蔽板１７０によって遮蔽することで、光学式センサー１５０自身の検知範囲Ｚ１００を狭めて実質的な検知範囲Ｚ１０１とするようにして行なわれていたが、係る方法では、センサー１５０の受光面１５１の面積が狭まるためセンサー感度が低下することがあった。また、十分に実質的な検知範囲Ｚ１０１を所望の範囲とすることができない場合があった。
【先行技術文献】
【特許文献】
【０００９】
【特許文献１】特表２００８−５２１５４９
【特許文献２】特開２０１０−０６８９７２
【特許文献３】特表２００３−３３９５７１
【特許文献４】特開２００７−１９０２９２
【特許文献５】特表平１０−５０００６８
【発明の概要】
【発明が解決しようとする課題】
【００１０】
そこで、本発明の主たる課題は、センサー感度を低下させずに所望の検知範囲とすることができるようにした、自動排紙タイプのロールペーパータオル用ディスペンサーを提供し、加えて、自動排紙タイプのロールペーパータオル用ディスペンサーにおける好適なセンサー検知範囲を提供することにある。
【課題を解決するための手段】
【００１１】
上記課題を解決した本発明は次記のとおりである。
＜請求項１記載の発明＞
検知範囲に使用者の手が位置されたことを検知する焦電型赤外センサーを有し、前記焦電型赤外センサーによる前記手をかざしたことの検知に応じて排紙口から所定長さのペーパータオルを自動的に排紙するロールペーパータオル用ディスペンサーであって、
前記センサーは、前記ディスペンサーの下部排紙口より前面側に、かつ、下方に放射状の検知範囲を有して設けられており、
検知波長光を反射し、かつ、前記センサーに集光される範囲を画定する反射面を有する反射部材が設けられ、
前記反射部材は、前記センサーの真下より排紙口側に縁を有し、この縁からセンサーの下方を覆い、ディスペンサーの下面に渡る背面側に向かって下り傾斜の反射面を有し、前記縁と前記ディスペンサーの下面との間が背面側に開口している、ことを特徴とするペーパータオル用ディスペンサー。
【００１２】
＜請求項２記載の発明＞
前記反射部材が着脱自在とされている請求項１記載のペーパータオル用ディスペンサー。
【００１３】
＜請求項３記載の発明＞
反射面の形状が異なり前記センサーに集光される範囲が相違する複数の反射部材を有し、それらの反射部材を取り替えることにより、検知範囲が変更される、請求項２記載のペーパータオル用ディスペンサー。
【００１４】
＜請求項４記載の発明＞
前記反射部材は、反射面の角度調整が可能とされている請求項１〜３の何れか１項に記載のペーパータオル用ディスペンサー。
【００１５】
＜請求項５記載の発明＞
前記反射部材により、ディスペンサー背面側下縁からディスペンサー下方に向けて延在させた面に投影される検知範囲面が、ディスペンサー背面側下縁より２０ｃｍ以内に収められている請求項１〜４の何れか１項に記載のペーパータオル用ディスペンサー。
【００１６】
（作用効果）
本発明に係るディスペンサーでは、焦電型赤外センサーによる検知波長光を反射し、かつ、前記焦電型赤外センサーに集光される範囲を画定する反射面を有する反射部材が設けられているため、反射面の角度調整、或いは面形状によって検知範囲を自由に設定することがきる。また、当該検知範囲を画定するにあたり、センサーの受光面を被覆する必要もなく、センサー感度を確保できる。また、このようにセンサー感度を低下させることなく、自由に検知範囲を設定できることから、設置場所或いはディスペンサーの大きさに応じた適宜の検知範囲を簡易に設定できることになり、もって、ディスペンサーの設置位置の自由度、特にコンパクト化による設置位置の自由度を高めることができる。
【００１７】
さらに、前記反射部材を着脱自在とすれば、設置場所に応じて反射部材を取り付けるか否かを選択することが可能となるため、センサー自体やその取り付け位置を変更することなく、複数の検知範囲を選択することができ、一層ディスペンサーの設置位置の自由度、特にコンパクト化による設置位置の自由度が高まる。
【００１８】
また、反射面の形状が異なり焦電型赤外センサーに集光される範囲が相違する複数の反射部材、例えば反射面の角度が相違する複数の反射部材を、選択的に取り替え可能にすれば、より検知範囲の設定の自由度、ディスペンサーの設置位置の自由度、特にコンパクト化による設置位置の自由度が高まる。
【００１９】
さらに、反射部材の反射面の角度調整を可能とすれば、より検知範囲の設定の自由度、ディスペンサーの設置位置の自由度、特にコンパクト化による設置位置の自由度が高まる。
【００２０】
ここで、本発明のディスペンサーにおいては、前記反射部材により、ディスペンサー背面側下縁からディスペンサー下方に向けて延在させた面に投影される検知範囲面が、ディスペンサー背面側下縁より２０ｃｍ以内に収めるようにすると、誤動作の少ないディスペンサーとなる。
【発明の効果】
【００２１】
以上の本発明によれば、センサー感度を低下させずに所望の検知範囲とすることができる自動排紙タイプのロールペーパータオル用ディスペンサーが提供され、加えて、自動排紙タイプのロールペーパータオル用ディスペンサーにおける好適なセンサー検知範囲が提供される。
【図面の簡単な説明】
【００２２】
【図１】本発明に係るロールペーパータオル用ディスペンサーの底面側からの斜視図である。
【図２】本発明に係るロールペーパータオル用ディスペンサーの上面側からの斜視図である。
【図３】本発明に係るロールペーパータオル用ディスペンサーの内部構造例を模式的に示す内部構造側面図である。
【図４】本発明に係るロールペーパータオル用ディスペンサーにおけるロールペーパーの取り付け態様例を示すための斜視図である。
【図５】本発明に係る排紙機構例を示す内部正面図である。
【図６】本発明に係る反射部材の正面図である。
【図７】図６のVII−VII矢視図であり、本発明に係る反射部材の上面図である。
【図８】図６のVIII−VIII矢視図であり、本発明に係る反射部材の断面図である。
【図９】本発明に係る反射部材による検知範囲を説明するための側面図である。
【図１０】本発明に係る反射部材の別の例を示す正面図である。
【図１１】本発明に係る反射部材の着脱自在な取り付け態様例を示す斜視図である。
【図１２】本発明に係る反射部材の他の例を示す図である。
【図１３】本発明に係る反射部材による検知範囲を説明するための正面図である。
【図１４】従来のディスペンサーにおける検知範囲制限の例を示す図である。
【発明を実施するための形態】
【００２３】
次いで、本発明の実施の形態を図１〜１３に示し、以下これを参照しながら詳述する。
本発明に係るロールペーパー用ディスペンサーＸ１（以下、単にディスペンサーＸ１ともいう）は、手や顔などの肌の清拭や食材のドリップや水分等の拭き取りに用いられる長尺帯状のペーパータオルを紙管に巻き付けてロール状としたロールペーパータオル用のものである。
【００２４】
本形態のディスペンサーＸ１は、その素材が例えばＡＢＳ樹脂等の合成樹脂や金属素材等で形成された筐体１の内部に、ロールペーパータオル（以下、単にロールペーパーともいう）２のロール部分２０を回動自在に支持する支持部３０と、そのロール部分２０から繰り出されたペーパータオル２０Ａをニップする回動自在な排紙ローラ４及びニップローラ５と、前記排紙ローラ４を駆動させるモーターなどの電力駆動源（図示されない）とが配置されており、焦電型赤外センサー５０による被検知物（例えば、使用者の手）の検知に応じて前記電力駆動源が作動することで前記排紙ローラ４が回転させられ、前記筐体１の下部に配置された排紙口６から、適宜長さのペーパータオル２０Ａを筐体１外に自動的に露出させる。
【００２５】
筐体１は、前面開放のケース本体１０と、ケース本体１０の前面開放部分を被覆する蓋体１１とで構成されており、その下部に前記支持部３０に支持されたロールペーパー２０から巻き出されたペーパータオル２０Ａを筐体外部に露出させるスリット状の排紙口６が設けられている。
【００２６】
ケース本体１０は、天板部１２と底板部１３と背板部１４とこの背板部１４の両側縁若しくは両側縁部から手前に延在する左右一対の本体側板部１５，１５とで構成されており、本形態のディスペンサーＸ１は、前記ケース本体の背板部１４を介して壁面等に設置する。
【００２７】
蓋体１１は、上部がケース本体１０の天板部１２と一連となるような湾曲面部分を有する前板部１６と、この前板部１６と直角をなして奥側（背板側）に延在する左右一対の蓋体側板部１７，１７とを有し、ケース本体１０の正面側開放部分を被覆すように配置され、前記ケース本体１０とともに箱型の筺体１を構成する。
【００２８】
また、前記蓋体１１は、ケース本体１０に対して軸１０Ａを介してハッチ式に取付けられており、本形態のディスペンサーＸ１では、図２中一点鎖線で示すように蓋体１１を手前に引き下げることにより、ケース本体１０が前面開放状態となり、筺体内部の支持部３０や排紙ローラ４等の内部機構が露出され、ロールペーパー２の交換が可能となっている。なお、図示の形態では、ハッチ式にするにあたって、ケース本体１０と蓋体１１とを各側板部１５，１７の下部に設けた回転軸を介して連結し、ケース本体１０の上面に形成した係止凸部１８と蓋体１１の上面に形成した係止凹部１９との係止によってケース本体１０の前面開放部が蓋体１１によって閉じられるようにしている。
【００２９】
なお、筐体の構造、外観は上記形態に限定されるものではない。
【００３０】
他方、前記排紙口６は筐体１の下面部において筐体の幅方向に延在するようにスリット状に設けられており、図示例では、特に、ケース本体１０の底板部１３の前面側縁部と蓋体１１の下端縁部との間が排紙口６となっている。なお、排紙口６は、上記形態に限定されず、例えば、ケース本体１０の底板部１３や蓋体１１に底板部を設けてそこに形成してもよい。
【００３１】
他方、本形態のディスペンサーは、排紙口６から露出されたペーパータオル２０Ａの切り取りを容易にすべく、排紙口６の前面側縁に沿って裁断刃６０が取付けられている。図示例では裁断刃６０は鋸刃とされているが、これに限らない。なお、この裁断刃６０は、金属或いは硬質可塑性樹脂などにより形成することができる。
【００３２】
筐体１内に収納されるロール部２の支持部３０は、既知の構成を採ることができる。図示の形態では、前記背板部１４の両側板近傍からそれぞれ前板側（壁面取付け時における手前側）に向かって所定長さ延出する一対の腕部３１，３１を有し、その腕部３１，３１の先端に支持体３２，３２が取付けられたものである。なお、図示例に限らず腕部３１，３１は、側板部１５から水平方向に突出するように延出している態様であってもよいし、天板部１２から垂下するような態様であってもよいし、底板部１３から天板部１２に向かって起立するものであってもよい。
【００３３】
また、図示例の支持部は、前記支持体３２，３２が通常状態において筐体内側部において水平方向内側に向かって突出しており、その少なくとも一方が前記通常状態に付勢された状態で、その基端部を軸として図４中一点鎖線Ａで示すように上方へ向かって跳ね上がるように構成されている。さらに、一対の支持体３２，３２の先端３２ｔ，３２ｔ間が、通常状態でロール部２の紙管の長さ（幅）未満の距離とされ、その先端３２ｔ，３２ｔ部分が上方に跳ね上がった際に支持体の先端３２ｔ，３２ｔ間がロールペーパー２の幅よりも広くその間隔が開くようになっている。ロールペーパータオルの取付け時には、前記支持体３２を跳ね上げた状態にして支持体３２，３２間にロールペーパー２を挿入し、その後に支持体を通常状態位置へ付勢によって戻し、支持体先端３２ｔ，３２ｔを紙管内に位置させてロール部２を支持体３２，３２に支持する。
【００３４】
他方、本形態のディスペンサーＸ１は、前記ロール部２を支持部３０に取付けたときの軸心と平行となるように配置された棒状の回転軸４０と、この回転軸４０の外周に表面がゴム等の滑り止め素材で構成された複数のロール４１，４１…を間欠的に配した構造の排紙ローラ４及び、これと対となるニップローラ５が前記支持体３２の下方（底板側）の排紙口近傍に設けられており、前記排紙ローラ４とニップローラ５とによって前記ロール部分２０から繰出されたペーパータオル２０Ａを挟持し、前記排紙ローラ４の回転によってペーパータオル２０が排紙口６から排紙されるようになっている。本形態では、排紙ローラ４を回転軸４０に対して同軸に複数のロール４１，４１…を幅方向に間欠的に設けた構造とすることで、排紙ローラ４全体としての重量軽減を図り、省電力化を図っている。また、幅方向に間欠的に排紙ローラを設けることにより、ローラと紙の当たる圧力が高まり、滑りを生じることなく所定量のシート長さが好適に得られるようにもなる。特に、その排紙ローラを幅方向の中央部に密に、側部に疎に間隔を置いて配置することで、排紙時に側部におけるニップ圧が弱まり、側部に張力が逃げ易くなるため、排紙時に皺が入り難く好ましい。なお、排紙ローラの構成やロール４１の数はこれに限定されない。
【００３５】
また、本形態のディスペンサーＸ１は、排紙ローラ４が前記ケース本体１０に対して取り付けられ、ニップローラ５が蓋体１１に対して取り付けられており、前記蓋体１１を開いた際に、排紙ローラ４とニップローラ５が離間して、ペーパータオル２０の挟持が開放されるようになっており、メンテナンス性を向上させている。
【００３６】
他方、本形態においては、前記排紙ローラ４は、回転軸４０の一端側（図示例では向かって右手側）に設けられた駆動ギア４２を介して、図示しない駆動源からの駆動力が伝達され回転させられる。駆動源は、既知のモーター等であり、駆動及び停止は、焦電型赤外センサー５０による検知信号に応じて行なわれる。但し、排紙ローラ４を駆動させるための構造は、上記駆動ギア４２を介する構成に限らず、ギア、無端ベルト、プーリーなどの既知に機構を適宜介在させて前記回転軸４０を回転させるようにしてもよい。また、回転軸４０を直接的にモーターの回転軸に同軸に連結して回転させるようにしてもよい。
【００３７】
なお、排紙機構は上記説明の形態に限定されず、例えば、ロール部分に面接する送りローラやロール部分を支持する支持部を電力駆動源により回転させるようにしてもよい。
【００３８】
他方、本発明に係る焦電型赤外センサー５０自体は、パッシブタイプが望ましい。また、焦電型赤外センサー５０は、ディスペンサーＸ１の一般的な大きさと使用態様を考慮すると、その焦電型赤外センサー単体での検知範囲の放射角が３０〜９０°程度であるものが望ましい。３０°未満であると検知範囲が狭すぎることとなり、９０°を超えるとディスペンサーの下方投影範囲に収めるのが困難となる。焦電型赤外センサー５０は、検知範囲に発熱体が位置された際に、その発熱体から発せられる赤外光を受光し、定常状態とのエネルギー差を検知するものであり、本発明に係るディスペンサーにおける一般的使用態様、すなわち使用者が発熱体である手等を検知範囲にかざして排紙させる態様に特に適する。なお、図示の本形態は、好ましくこの焦電型赤外センサーを用いた例である。
【００３９】
他方、本形態のディスペンサーＸ１は、かかる焦電型赤外センサー５０を所定の位置に設け、当該センサー５０の検知範囲に使用者の手等の被検知物が進入されたときに、前記センサー５０がこれを検知し、この検知信号を制御手段に送信し、制御手段を介して排出ローラ４の駆動源を所定時間駆動させる。これにより駆動源の駆動時間に応じた前記排紙ローラ４の回転分だけ、排紙口６からペーパータオル２０Ａが露出させる。焦電型赤外センサー５０で検知した検知信号に応じてモーター手段等の駆動源の駆動を制御する制御手段は、特に限定されるものではなく、適宜の電気回路により構成できる。
【００４０】
前記焦電型赤外センサー５０の取り付け位置は、本発明においては反射部材７により、設定できることから必ずしも限定されないが、好ましくは図示例のとおり、ディスペンサー底面側の幅方向中央部の前記排紙口６よりも前面側に取り付けるのがよい。係る位置に焦電型赤外センサー５０を取り付け、焦電型赤外センサー５０自体の検知範囲のコーン軸を真下又は若干壁面側（背板部側）に向ければ、焦電型赤外センサー５０を頂点とする放射状の検知範囲を、反射部材７によりディスペンサー前面側に及ぼさず、かつ、ディスペンサーＸ１の下方投影範囲内の広範な範囲にしやすくなる。
【００４１】
ここで、本発明のディスペンサーＸ１では、特徴的に、前記焦電型赤外センサー５０による検知光を反射し、前記焦電型赤外センサー５０に検知波長光が集光される範囲を画定する反射面７０を有する反射部材７が焦電型赤外センサー５０の近傍に設けられている。
【００４２】
特に図１、図６〜８に示す反射部材７は、正面側反射面７１とこれに所定の角度で連接する一対の側部反射面７２，７２とで構成される三面鏡状をなしている。
【００４３】
上記図示の本形態のディスペンサーＸ１では、反射部材７が、上述の好ましい焦電型赤外センサー５０の取り付け位置のもと、図９等に示すように、その正面側反射面７１が焦電型赤外センサー５０よりも前面側位置から背板部側下方に延在するようにしてディスペンサー底面１３Ａに対し傾斜し、かつ、焦電型赤外センサー５０を頂点として放射状に広がる光学式センサー自身の検知範囲の一部又は全部Ｐ１を前記反射面７０が遮るようにして取り付けられている。また、反射部材７は、前記焦電型赤外センサー５０の受光面５１を遮蔽しないようにして焦電型赤外センサー５０から若干離間した位置に反射面７０が位置するように取り付けられている。
【００４４】
かかる反射部材７の取り付けにより、焦電型赤外センサー５０による検知範囲が、それ自身が有する放射状の検知範囲から前記反射面７０により遮られた部分Ｐ１が検知範囲から外れるととともに、前記反射面７０により反射されて光学式センサーに集光される範囲Ｐ２が新たな検知範囲として付加されることとなり、検知範囲の一部又は全部が前記反射面７０により変更されて画定され、焦電型赤外センサー５０による実質的な検知範囲が設定される。
【００４５】
光学式センサーの実質的な検知範囲を決定する反射部材７の反射面の面積、向き、大きさ、角度、例えば、図示例の反射部材７０であれば、正面側反射面７１と側部反射面７２の角度∠Ａ，∠Ｂや正面側反射面７１とディスペンサー底面１３Ａとの間の角度∠Ｃ等は、ディスペンサーＸ１の取り付け位置や大きさに応じて設定すればよい。
【００４６】
なお、反射部材７における反射面７０の構成は、上記三面鏡状に限定されず、一平面のみであってもよいし、より多角面を有するようにしてもよいし、さらに図１０（Ａ）、及に（Ａ）の矢視図である（Ｂ）に示すように湾曲面、球面状の凹面としてもよい。
【００４７】
なお、前記反射面７０は、焦電型赤外センサー５０が検知する波長の検知光を反射する素材により構成すればよく、その具体的素材は限定されない。例えば、赤外光であれば金属鏡面等により構成する。また、反射部材７の形状・素材等も特に限定されるものではなく、アルミ板、鉄板などを適宜屈曲して反射面７と一体的とした構造、ＡＢＳ樹脂、ポリカーボネート樹脂を適宜の形状に成型した後、アルミ泊などの金属シートや金属板を貼付、設置して反射面７０をした構造等、適宜の形状・素材により形成することができる。
【００４８】
また、反射部材７と筐体１とは一体的であっても別体であってもよい。反射部材７を筐体１と別体とするのであれば、反射部材７は、粘着剤、接着剤、接着テープ等によって筐体に貼付してもよいし、既知の係止機構を採用してもよい。好ましくは、筐体１と反射部材７とは別体として着脱自在とするのが望ましい。着脱自在な係止機構としては、例えば、図１１に示すように、筐体１の底面１３Ａに係止孔１３Ｈを形成するとともに、反射部材７にこれに係合する係合突起７３を形成し、これらを係合させることで、着脱自在とするようにすればよい。もちろん、この例に限定されない。反射部材７を着脱自在とすれば、光学センサー５０自体が有する検知範囲と、反射部材７によって変更された検知範囲とが選択可能になる。
【００４９】
ここで、反射部材７は、必ずしも一つに限らず複数設け、それら反射部材の組み合わせて、実質的な検知範囲を画定するようにしてもよい。また、着脱自在とするならば、反射面の形状が異なる複数の反射部材を付け替えることで、異なる実質的な検知範囲を設定可能にしてもよい。例えば、上記正面反射面７１と側部反射面７２，７２とで構成される反射面７０を有する反射部材７であれば、正面反射面７１と側部反射面７２との角度∠Ａ、∠Ｂ、さらに正面反射面とディスペンサーとの取り付け角度∠Ｃが相違する複数の反射部材７を用意し、これらを付け替えるようにすることができる。また、図１０に示す例のように反射面７０を曲面とするのであれば、反射面７０の曲率半径の相違する複数の反射部材を付け替えるようにすることができる。これらを筐体１に取り替えて取り付け可能とすることで、検知範囲の設定の自由度が高まる。
【００５０】
また、前記反射部材７は、反射面７０の角度が調整可能なものとしてもよい。例えば、図１２に示すように、正面反射面７１と側部反射面７２，７２とを回転軸７５を介して軸接続すれば、正面反射面７１と側部反射面７２との角度∠Ａ，∠Ｂを調整することが可能となる。また、正面反射面７１と係合突起７３とを回転軸７６を介して軸接続すれば、正面反射面とディスペンサー底面との角度が調整可能となる。このような、反射部材７では、ディスペンサーの取り付け位置に応じて、それらの角度を調整して、適当な検知範囲を設定することができ、利便性がより高いものとなる。
【００５１】
なお、反射面７０の角度調整は上記軸接続に限らず。例えば、反射部材７を塑性変形する金属材、樹脂材により構成することで、反射面７０の角度を調整できるようにしてもよい。
【００５２】
ここで、本発明の反射部材７によって設定する実質的な検知範囲として、好適例を例示しておくと、図１３に示すように、ディスペンサー背面側下縁１３ａからディスペンサー下方に向けて延在させた面に投影される検知範囲面Ｚが、ディスペンサーの幅方向と同等又は狭く、かつディスペンサー背面側下縁から２０ｃｍ以内に収めるようにするのが望ましい（当該部分を符号Ｌ１で示している）。ここで検知範囲面Ｚはディスペンサーをかけた壁面での検知面を指す。この範囲であると、上述のように背板部１４を介して、ディスペンサーＸ１を壁面に設置する一般的設置態様において、最も多く想定され使用者がディスペンサーの前面側に立ち、ディスペンサーの下方に手をかざす操作態様において、設置高さに関係なく、ディスペンサー前面に立っただけ、或いは通りすぎたで意図せず誤動作することが防止され、また、手をかざした際に感度よく検知することが可能となる。
【００５３】
特に、前記反射部材７によってディスペンサーの下方投影範囲の２０ｃｍ下方位置までに検知範囲を収め、特にこの範囲の５０〜９０％を占めるようにすると検知が効果的に行えるようになる。上記範囲に設定するには、検知範囲の放射角が３０〜９０°の範囲の焦電型赤外センサー５０を、ディスペンサー下面の幅方向中央部であって、ディスペンサーの前面から０〜１０ｃｍの位置に設け、その検知範囲のコーン軸を筐体の背面側に０〜５０°傾斜する取り付ける態様として、光学センサー５０より５ｃｍ以内の範囲に反射面７０を位置させ、焦電型赤外センサー５０自身の放射状に広がる検知範囲の一部、特にディスペンサー前面に向う範囲を反射部材７により背面側方向に屈曲させるようにすると簡易に設定することができる。
【００５４】
以上のとおり本発明にかかる自動排紙のディスペンサーＸ１では、反射部材７を設けたことにより、焦電型赤外センサー５０による実質的な検知範囲を設定することが可能となり、ディスペンサーＸ１のコンパクト化や設置の自由度を高まる。また、その際、焦電型赤外センサー５０の受光面５１を遮蔽することがないので、センサー感度を低下させることもない。
【符号の説明】
【００５５】
Ｘ１…ロールペーパータオル用ディスペンサー、１…筐体、２…ロールペーパータオルのロール部分、２０…ロールペーパータオル、４…排紙ローラ、５…ニップローラ、５０…センサー、６…排紙口、３１…腕部、３２…支持部、３２ｔ…支持部先端、１０…ケース本体、１１…蓋体、１２…天板部、１３…底板部、１４…背板部、１５…本体側板部、１６…前板部、１７…蓋体側板部、１８…係止凸部、１９…係止凹部、６０…裁断刃、３０…支持部、３１…腕部、３２…支持体、３２ｔ…支持体の先端、４０…回転軸、４１…ロール、４１…ロール間の間隙、４２…駆動ギア、７…反射部材、７０…反射面、７１…正面側反射面、７２…側部反射面、７３…係合突起、１３Ｈ…係止孔、７…遮蔽板。
【図１】
0005864956.tif 000002
【図２】
0005864956.tif 000003
【図３】
0005864956.tif 000004
【図４】
0005864956.tif 000005
【図５】
0005864956.tif 000006
【図６】
0005864956.tif 000007
【図７】
0005864956.tif 000008
【図８】
0005864956.tif 000009
【図９】
0005864956.tif 000010
【図１０】
0005864956.tif 000011
【図１１】
0005864956.tif 000012
【図１２】
0005864956.tif 000013
【図１３】
0005864956.tif 000014
【図１４】
0005864956.tif 000015